【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
入力された画像データを符号化する符号化装置において、
前記画像データを所定のサイズのブロックに分割するブロック分割手段と、
前記ブロック分割手段によって分割された各ブロックに対して、前記ブロックにおける画像データの特徴を示す特徴量を検出する特徴量検出手段と、
前記特徴量検出手段によって検出された前記特徴量に基づき、前記ブロック分割手段によって分割された前記ブロックを再ブロック化する再ブロック化手段と、
前記再ブロック化手段によって再ブロック化された前記画像データに対して符号化を行う符号化手段と
を含むことを特徴とする符号化装置。
【請求項２】
前記画像データには、ノイズが付加されている
ことを特徴とする請求項１に記載の符号化装置。
【請求項３】
入力された前記画像データにノイズを付加するノイズ付加手段を
さらに含むことを特徴とする請求項１に記載の符号化装置。
【請求項４】
前記画像データは、少なくとも１度符号化された後、復号化されている
ことを特徴とする請求項１に記載の符号化装置。
【請求項５】
前記特徴量検出手段は、前記ブロック分割手段によって分割された各ブロックに対して、前記ブロックにおける画像データの特徴を示す特徴量として、前記ブロックを構成する画像データのアクティビティを検出する
ことを特徴とする請求項１に記載の符号化装置。
【請求項６】
前記アクティビティは、前記ブロックを構成する画素の画素値のばらつきを示す値である
ことを特徴とする請求項５に記載の符号化装置。
【請求項７】
前記特徴量検出手段は、前記ブロック分割手段によって分割された各ブロックに対して、前記ブロックにおける画像データの特徴を示す特徴量として、前記ブロックを構成する画像データのアクティビティを算出する算出手段を含む
ことを特徴とする請求項５に記載の符号化装置。
【請求項８】
前記再ブロック化手段は、前記算出手段によって算出された前記アクティビティに基づき、前記ブロック分割手段によって分割された全ての前記ブロックのうちの一部を再ブロック化する
ことを特徴とする請求項７に記載の符号化装置。
【請求項９】
前記再ブロック化手段は、前記算出手段によって算出された前記アクティビティに基づき、前記ブロック分割手段によって分割された全ての前記ブロックのうち、画素値のばらつきが大きい方の一部をさらに小さなサイズに再ブロック化する
ことを特徴とする請求項７に記載の符号化装置。
【請求項１０】
前記特徴量検出手段は、
前記ブロック分割手段によって分割された各ブロックをさらに小さな均一なサイズの分割ブロックに細分化する細分化手段と、
前記分割ブロックにおける画像データの特徴を示す特徴量として、前記分割ブロックを構成する画像データのアクティビティを算出する算出手段とを含む
ことを特徴とする請求項５に記載の符号化装置。
【請求項１１】
前記再ブロック化手段は、前記算出手段によって算出された前記アクティビティに基づき、前記ブロック分割手段によって分割された各ブロックをさらに小さな不均一なサイズの分割ブロックに再ブロック化する
ことを特徴とする請求項１０に記載の符号化装置。
【請求項１２】
前記再ブロック化手段は、前記算出手段によって算出された前記アクティビティに基づき、前記ブロック分割手段によって分割された各ブロックを、前記ブロックの中で画素値のばらつきが大きい部分がより小さな分割ブロックに属するように、さらに小さな不均一なサイズの分割ブロックに再ブロック化する
ことを特徴とする請求項１０に記載の符号化装置。
【請求項１３】
前記符号化手段は、ADRC(Adaptive Dynamic Range Coding)を適用して、前記再ブロック化手段によって再ブロック化された前記画像データに対して符号化を行う
ことを特徴とする請求項１に記載の符号化装置。
【請求項１４】
前記符号化手段は、前記再ブロック化手段によって再ブロック化された前記画像データに対して符号化を行ない、符号化の結果得られる符号と前記再ブロック化手段によって再ブロック化された前記画像データのブロックサイズとを少なくとも含む符号化データを出力する
ことを特徴とする請求項１に記載の符号化装置。
【請求項１５】
前記符号化手段の出力結果を復号化する復号化手段を
さらに含むことを特徴とする請求項１に記載の符号化装置。
【請求項１６】
入力された画像データを符号化する符号化方法において、
前記画像データを所定のサイズのブロックに分割するブロック分割ステップと、
前記ブロック分割ステップの処理で分割された各ブロックに対して、前記ブロックにおける画像データの特徴を示す特徴量を検出する特徴量検出ステップと、
前記特徴量検出ステップの処理で検出された前記特徴量に基づき、前記ブロック分割ステップの処理で分割された前記ブロックを再ブロック化する再ブロック化ステップと、
前記再ブロック化ステップの処理で再ブロック化された前記画像データに対して符号化を行う符号化ステップと
を含むことを特徴とする符号化方法。
【請求項１７】
入力された画像データを符号化するためのプログラムであって、
前記画像データを所定のサイズのブロックに分割するブロック分割ステップと、
前記ブロック分割ステップの処理で分割された各ブロックに対して、前記ブロックにおける画像データの特徴を示す特徴量を検出する特徴量検出ステップと、
前記特徴量検出ステップの処理で検出された前記特徴量に基づき、前記ブロック分割ステップの処理で分割された前記ブロックを再ブロック化する再ブロック化ステップと、
前記再ブロック化ステップの処理で再ブロック化された前記画像データに対して符号化を行う符号化ステップと
を含むことを特徴とするコンピュータが読み取り可能なプログラムが記録されている記録媒体。
【請求項１８】
入力された画像データを符号化するためのプログラムであって、
前記画像データを所定のサイズのブロックに分割するブロック分割ステップと、
前記ブロック分割ステップの処理で分割された各ブロックに対して、前記ブロックにおける画像データの特徴を示す特徴量を検出する特徴量検出ステップと、
前記特徴量検出ステップの処理で検出された前記特徴量に基づき、前記ブロック分割ステップの処理で分割された前記ブロックを再ブロック化する再ブロック化ステップと、
前記再ブロック化ステップの処理で再ブロック化された前記画像データに対して符号化を行う符号化ステップと
を含む処理をコンピュータに実行させることを特徴とするプログラム。
【請求項１９】
画像データを符号化する符号化部と、前記符号化部の出力を復号化する復号化部とを備え、前記画像データに対して符号化と復号化を繰り返すと前記画像データが劣化される画像処理システムにおいて、
前記符号化部は、
前記画像データを所定のサイズのブロックに分割するブロック分割手段と、
前記ブロック分割手段によって分割された各ブロックに対して、前記ブロックにおける画像データの特徴を示す特徴量を検出する特徴量検出手段と、
前記特徴量検出手段によって検出された前記特徴量に基づき、前記ブロック分割手段によって分割された前記ブロックを再ブロック化する再ブロック化手段と、
前記再ブロック化手段によって再ブロック化された前記画像データに対して符号化を行う符号化手段とを含む
ことを特徴とする画像処理システム。
【請求項２０】
画像データを符号化する符号化部と、前記符号化部の出力を復号化する復号化部とを備え、前記画像データに対して符号化と復号化を繰り返すと前記画像データが劣化される画像処理システムにおいて、
前記復号化部は、
前記符号化部によって前記画像データが所定のブロックに分割されて前記ブロック単位で符号化された結果である符号化データを分析する分析手段と、
前記分析手段による分析結果に基づき、前記符号化データを前記ブロック単位で復号化する復号化手段とを含む
ことを特徴とする画像処理システム。
【手続補正２】
【補正対象書類名】明細書
【補正対象項目名】発明の名称
【補正方法】変更
【補正の内容】
【発明の名称】符号化装置および方法、記録媒体、プログラム、並びに画像処理システム
【手続補正３】
【補正対象書類名】明細書
【補正対象項目名】０００１
【補正方法】変更
【補正の内容】
【０００１】
本発明は、符号化装置および方法、記録媒体、プログラム、並びに画像処理システムに関し、特に、アナログデータのコピーを抑止する場合に用いて好適な符号化装置および方法、記録媒体、プログラム、並びに画像処理システムに関する。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】変更
【補正の内容】
【００４６】
本発明の第１の画像処理システムにおいては、符号化部により、画像データが所定のサイズのブロックに分割され、分割された各ブロックに対して、ブロックにおける画像データの特徴を示す特徴量が検出される。そして、検出された特徴量に基づき分割されたブロックが再ブロック化され、再ブロック化された画像データに対して符号化が行なわれる。
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】変更
【補正の内容】
【００５１】
本発明の第２の画像処理システムにおいては、復号化部により、符号化部によって画像データが所定のブロックに分割されてブロック単位で符号化された結果である符号化データが分析され、この分析結果に基づき、符号化データがブロック単位で復号化される。
【手続補正２５】
【補正対象書類名】明細書
【補正対象項目名】００６２
【補正方法】削除
【補正の内容】
【手続補正２６】
【補正対象書類名】明細書
【補正対象項目名】００６３
【補正方法】削除
【補正の内容】
【手続補正２７】
【補正対象書類名】明細書
【補正対象項目名】００６４
【補正方法】削除
【補正の内容】
【手続補正２８】
【補正対象書類名】明細書
【補正対象項目名】００６５
【補正方法】削除
【補正の内容】
【手続補正２９】
【補正対象書類名】明細書
【補正対象項目名】００６６
【補正方法】削除
【補正の内容】
【手続補正３０】
【補正対象書類名】明細書
【補正対象項目名】００６７
【補正方法】変更
【補正の内容】
【００６７】
請求項１９に記載の画像処理システム（例えば、図１の画像表示システム１）は、符号化部（例えば、図１の符号化部２２−１）が、画像データを所定のサイズのブロックに分割するブロック分割手段（例えば、図４のブロック分割部６１）と、ブロック分割手段によって分割された各ブロックに対して、ブロックにおける画像データの特徴を示す特徴量を検出する特徴量検出手段（例えば、図４の特徴量検出部６２）と、特徴量検出手段によって検出された特徴量に基づき、ブロック分割手段によって分割されたブロックを再ブロック化する再ブロック化手段（例えば、図４の再ブロック化部６３）と、再ブロック化手段によって再ブロック化された画像データに対して符号化を行う符号化手段（例えば、図４のブロック符号化部６４）とを含む。
【手続補正３１】
【補正対象書類名】明細書
【補正対象項目名】００６８
【補正方法】削除
【補正の内容】
【手続補正３２】
【補正対象書類名】明細書
【補正対象項目名】００６９
【補正方法】削除
【補正の内容】
【手続補正３３】
【補正対象書類名】明細書
【補正対象項目名】００７０
【補正方法】削除
【補正の内容】
【手続補正３４】
【補正対象書類名】明細書
【補正対象項目名】００７１
【補正方法】変更
【補正の内容】
【００７１】
請求項２０に記載の画像処理システム（例えば、図１の画像表示システム１）は、復号化部（例えば、図１の再生装置１４の復号化部３１−１）は、符号化部によって画像データが所定のブロックに分割されてブロック単位で符号化された結果である符号化データを分析する分析手段（例えば、図６のブロックサイズ判定部７１）と、分析手段による分析結果に基づき、符号化データをブロック単位で復号化する復号化手段（例えば、図６のブロック復号化部７２）とを含む。
【手続補正３５】
【補正対象書類名】明細書
【補正対象項目名】００７２
【補正方法】削除
【補正の内容】
【手続補正３６】
【補正対象書類名】明細書
【補正対象項目名】００７３
【補正方法】削除
【補正の内容】
【手続補正３７】
【補正対象書類名】明細書
【補正対象項目名】００７４
【補正方法】削除
【補正の内容】